(57)【特許請求の範囲】
【請求項１】
自動車に搭載されたバッテリーを電源とするＬＥＤライトに着脱可能に取り付けられる回路収容ケースと、
この回路収容ケースに収容され、バッテリーからの入力電圧を検出し、所定の基準電圧より低下したときに、警告用ＬＥＤを点灯させる電圧低下検知回路とを具備することを特徴とする照明用電圧低下検知装置。
【請求項２】
請求項１に記載の前記照明用電圧低下検知装置を具備することを特徴とする照明装置。
【請求項３】
前記回路収容ケースは、ハウジングに固定したＬＥＤを照射板で覆うように構成された前記ＬＥＤライトの当該ハウジングに着脱可能に取り付けられることを特徴とする請求項１又は２に記載の照明用電圧低下検知装置又は照明装置。
【請求項４】
前記ＬＥＤライトは、底壁と、底壁から立ち上がる対向一対の側壁とを備えた前記ハウジングと、このハウジングの上部を閉鎖する前記照射板と、ハウジングの両端に係合することによりハウジングの両端を閉鎖する一対の止め枠とを具備し、前記止め枠は、ハウジングの長手方向の係合溝に挿入される係合片を備えたものであって、
前記回路収容ケースは、前記ハウジングの係合溝に挿入される係合片と、前記止め枠の係合片が挿入される係合凹部を具備し、前記ハウジングと一方の止め枠との間に取り付けられることを特徴とする請求項３に記載の照明用電圧低下検知装置又は照明装置。
【請求項５】
前記電圧低下検知回路は、前記ＬＥＤライトを前記バッテリーから遮断する遮断回路を具備することを特徴とする請求項１ないし４のいずれかに記載の照明装置又は照明用電圧低下検知装置。
【請求項６】
前記警告用ＬＥＤは、点滅する前記ＬＥＤライトのＬＥＤであることを特徴とする請求項１から５のいずれかに記載の照明用電圧低下検知装置又は照明装置。
【請求項７】
前記警告用ＬＥＤは、前記ＬＥＤライトの複数のＬＥＤの一部であることを特徴とする請求項１から６のいずれかに記載の照明用電圧低下検知装置又は照明装置。
【発明の詳細な説明】
【技術分野】
【０００１】
本発明は、車載バッテリーを電源として車内又は荷室の照明等となるＬＥＤライトを点灯させる照明装置に関するものである。
【背景技術】
【０００２】
従来、車載電気機器の電力消費によるバッテリーの蓄電残量の低減をその度合いに応じて自動的に警告して、ドライバ等に対してその蓄電残量の低減の度合いに応じて車載電気機器の消費電力の抑制を促す車載電源監視装置がある（特許文献1参照）。 車内に設ける車載電源監視装置は、車載バッテリの電源電圧を検出する電源電圧検出手段と、これから出力された電源電圧の基準電圧からの低下値が予め設定された複数のグレードのいずれに属するかを判定するグレード判定手段と、判定手段による判定結果に対応して予め設定された車載電気機器の電力消費の制御を促す警告メッセージを送信する警告通報手段とを有する。
【先行技術文献】
【特許文献】
【０００３】
【特許文献１】特開2003-246246号公報
【発明の概要】
【発明が解決しようとする課題】
【０００４】
上記従来の装置においては、構成が複雑になり、安価に提供することができない。取り付ける際も配線等が比較的複雑で配線技術に関する専門的な知識を要し、取り付けが容易でない。
そこで、本発明は、バッテリーの電圧が低下したら、警告を発する簡易な構成で、安価に提供でき、簡単に取り付けることができる照明装置を提案するものである。
【課題を解決するための手段】
【０００５】
本発明は、自動車に搭載されたバッテリーを電源とするＬＥＤライト２を備えた照明装置であって、バッテリーに電気的に接続され、バッテリーからの入力電圧を検出し、所定の基準電圧より低下したときに、警告用ＬＥＤ１８を点灯させる電圧低下検知回路３をＬＥＤライト２に具備させる。
電圧低下検知回路３は、ＬＥＤライト２に着脱自在に取り付けられる回路収容ケース７に収容する。
ＬＥＤライト２のハウジング４に着脱可能に取り付けられる回路収容ケース７と、この回路収容ケース７内に固定される電圧低下検知回路３とから照明用電圧低下検知装置を構成する。
対向一対の側壁４ｂ及び底壁４ａを備えたハウジング４と、このハウジング４の上部を閉鎖する照射板５と、ハウジング４の両端に係合することによりハウジング４の両端を閉鎖する一対の止め枠８，８とを具備し、止め枠８に、ハウジング４の長手方向の係合溝９ａに挿入される係合片８ａを具備するＬＥＤライト２に対して、ハウジング４の係合溝９ａに挿入される係合片１１ａと、止め枠８の係合片８ａが挿入される係合凹部１１ｂを具備した回路収容ケース７を、ハウジング４と一方の止め枠８との間に取り付けるように電圧低下検知装置を構成する。
電圧低下検知回路３には、ＬＥＤライト２をバッテリーから遮断する遮断回路２３を具備させる。
警告用ＬＥＤ１８は、ＬＥＤライト２のＬＥＤ６を共用して点滅させる。
警告用ＬＥＤ１８は、ＬＥＤライト２のＬＥＤ６の一部を点灯させる。
【発明の効果】
【０００６】
本発明によれば、バッテリーの電圧が低下したら、照明自体が点灯または点滅するので、状態を外部に認識させることができ、速やかな対処を可能にする。電圧低下検知回路を簡易に構成してＬＥＤライトに組み込むので、安価に提供できるし、ＬＥＤライトの簡単な取り付けのみで警告表示機能を自動車に付加でき、バッテリーの消耗を事前に確認でき、これに起因する障害を回避することができる。
【図面の簡単な説明】
【０００７】
【図１】本発明の実施形態に係る照明装置の平面図である。
【図２】図１の照明装置の正面図である。
【図３】図１の照明装置の側面図である。
【図４】図１の照明装置の分解斜視図である。
【図５】電圧低下警告回路の回路図である。
【図６】他の実施形態に係る電圧低下警告回路の回路図である。
【発明を実施するための形態】
【０００８】
本発明の実施の一形態を、図面を参照しながら説明する。
図１ないし図４に示すように、照明装置１は、トラック（図示せず）に搭載されたバッテリーに電気的に接続され、荷室の照明灯などとして荷室の壁面等に取り付けられるものである。照明装置１は、ＬＥＤライト２に電圧低下警告回路３が付設されて構成される。
【０００９】
ＬＥＤライト２は、矩形の底壁４ａの両側縁から側壁４ｂが立ち上がって底部及び側部が閉鎖された矩形の内部空間を有するハウジング４と、ハウジング４のの上部を閉鎖する矩形の半透明板５と、ハウジング４の底壁４ａ上に長手方向にほぼ等間隔に並んで固定される複数のＬＥＤ６と、ハウジング４の一端部に結合される回路収容ケース７と、ハウジング４の他端部及び回路収容ケース６に結合される止め枠８とで構成される。
【００１０】
ハウジング４の両側壁４ｂには、水平に延出する取付フランジ９が一体に形成されている。取付フランジ９の両端部には、ＬＥＤライト２を取り付けるためのねじを挿通させるねじ孔９ｂを備える。取付フランジ９の下端面には、長手方向の矩形溝９ａを備える。
【００１１】
ＬＥＤ６は、コード１０によりバッテリーに電気的に接続される。
半透明板５の両側縁は、ハウジング４の両側壁４ｂの上端部に対向位置するスリットに差し込まれる。
【００１２】
回路収容ケース７は、矩形の底板１１の上部に側部及び上部を閉鎖するようにコ字状に屈曲した蓋板１２が結合される。底板１１の一端部両側には、ハウジング４側に突き出て取付フランジ９の矩形溝９ａに挿入される係合片１１ａを備え、他端部両側にはハウジング４側に切れ込む係合凹部１１ｂを備える。蓋板１２の両側部には蓋板１２に重さなる水平に延出した固定フランジ１２ａが連続する。固定フランジ１２ａ上には、係合片１２ｂと上下に対向するようにハウジング４側に突き出た状態においてねじ１４で押え板１３が固定される。押え板１３には、ねじ１４を貫通させる二つの挿通孔１３ａを有する。ねじ１４は、押え板１３と取付フランジ９とを貫通して底板１１に螺合する。一方のねじ１４はハウジング４の取付フランジ９を貫通して矩形溝９ａに挿入された係合片１２ｂに螺合する。
【００１３】
止め枠８は、ハウジング４の端面の輪郭にほぼ対応する板材で構成され、ハウジング４の一端及び回路収容ケース７の一端を閉鎖するようにこれらの端面に接合される。止め枠８の一端には、ハウジング４の取付フランジ９の矩形溝９ａ又は回路収容ケース７の係合凹部１１ｂに挿入される係合凸部８ａを備えている。止め枠８は、回路収容ケース７内を貫通してハウジング４の側壁４ｂに螺合する固定ねじ８ｃ用の挿通孔８ｂを備える。
【００１４】
電圧低下警告回路３は、図１，図４に示すように回路収容ケース７の底板１１上に固定される。この電圧低下警告回路３は、コード１０に電気的につながり、図５に示すように、バッテリーに対してＬＥＤ６と並列に接続される。電圧低下警告回路３は、コンパレータ１５により通常２４Ｖであるバッテリーからの入力電圧Ｖinが基準電圧源１６の基準電圧Ｖreより小さくなると、コンパレータ１５の出力電圧により発信回路１７を通じて警告ＬＥＤ１８を点滅させる。抵抗１９，２０は、警告ＬＥＤ１６の点滅開始電圧として設定された電圧が基準電圧と等しくなるように、電源電圧を分圧調整する。なお、警告ＬＥＤ１６は、ＬＥＤライト２内または回路収容ケース７内に独立して設けてもよく、またＬＥＤライト２のＬＥＤ６の一つを共用することとしてもよい。
【００１５】
この照明装置１においては、トラックの荷室等の所定箇所に取り付けられ、車載バッテリーにコード１０で電気的に接続され、荷室などの照明として利用に供する。電圧低下警告回路３は、バッテリーからの入力電圧の分圧電圧と基準電圧とを比較して、入力電圧が基準電圧より低下した場合に、コンパレータ１５の出力電圧を発信回路１７が間欠的に出力して警告ＬＥＤ１８を点滅させる。この警告ＬＥＤ１８の点滅によって、バッテリーの消耗を確認でき、速やかに対処できる。この照明装置１は、通常の照明器具と同様に取り付けられ、追加的な配線作業や設置スペースの確保などを必要とせずに、電圧低下の状態を警告する機能を付加することがてき、既存の照明等などと交換することにより後付けできる。
【００１６】
他の実施形態を図６について説明する。同図において、この実施形態の電圧低下警告回路３は、先の構成に加えて、抵抗２１を介してコンパレータ２２及び電源遮断回路２３を並列的に接続したものである。電圧低下警告回路３は、バッテリーからの入力電圧Ｖinの分圧電圧と基準電圧Ｖreとを比較して、入力電圧が基準電圧より低下した場合に、先と同様にして、警告ＬＥＤ１１を点滅させ、さらにコンパレータ２２の出力により電源遮断回路２３を動作させてバッテリーからの入力電圧を遮断し、ＬＥＤライト２を消灯させる。
【符号の説明】
【００１７】
１    照明装置
２    ＬＥＤライト
３    電圧低下警告回路
４    ハウジング
４ａ  底壁
４ｂ  側壁
５    半透明板
６    ＬＥＤ
７    回路収容ケース
８    止め枠
８ａ  係合凸部
８ｂ  挿通孔
８ｃ  固定ねじ
９    取付フランジ
９ａ  矩形溝
１０    コード
１１    底板
１１ａ  係合片
１１ｂ  係合凹部
１２    蓋板
１２ａ  固定フランジ
１３    押え板
１４    ねじ
１５    コンパレータ
１７    発信回路
１８    警告ＬＥＤ
１９    抵抗
２０    抵抗
２１    抵抗
２２    コンパレータ
２３    電源遮断回路
【図１】
0005535294.tif 000002
【図２】
0005535294.tif 000003
【図３】
0005535294.tif 000004
【図４】
0005535294.tif 000005
【図５】
0005535294.tif 000006
【図６】
0005535294.tif 000007